(57)【要約】【課題】  日本には数多くの伝承すべき習慣やものがある。それを今の若い人にどう伝えて残していくかという課題に直面している。その中でも家紋は各家庭のルーツにも繋がるものである。従来より家紋を題材にした商品があるにはあったが、いずれも古めかしいイメージの物が多く、出来合いの物が多かった。又多くの人は結婚を機に家族制度を多少なりとも意識をするようになります。そういった若いカップルなどに向けた新しい感覚の世界にたった一つの手頃な価格のオリジナル家紋商品を開発したい。【解決手段】  まず両家の家紋を地模様風にあしらい、更に上に象徴的に目立つ色を付けた両家の家紋を配置して、立体的に見える手法で構成し、より華やかに仕上げられている。【選択図】図２
2008126040.tif 000002
【特許請求の範囲】
【請求項１】
２種類以上の家紋に色彩を施して図柄を形成したことを特徴とする家紋図。
【請求項２】
奥行き感を持たせたことを特徴とする請求項１の家紋図。
【請求項３】
家紋以外の部分に装飾物を貼付した事を特徴とした請求項１乃至２の家紋図。
【請求項４】
家紋図の背面に光源を設けた事を特徴とした請求項１乃至３の家紋図。
【請求項５】
家紋を立体状にしたことを特徴とした請求項１乃至４の家紋図。
【請求項６】
版を作成しない方式で印刷したことを特徴とした請求項１乃至５の家紋図。
【発明の詳細な説明】
【発明の詳細な説明】
【技術分野】
【０００１】  この発明は、家紋図に関するものである。
【背景技術】
【０００２】  従来からある家紋図は家々の定紋を合成樹脂でかたどった額であったり、刺繍で加工した額であったり、またお墓に彫刻してあったり、着物や袱紗に抜染加工のワンポイントであったりしていた。いずれも荘厳なイメージや高級感があるものの、どれも古くさいイメージがし、今の若者は敬遠しがちであった。つまり興味をそそる商品が無かった。【０００３】いまや核家族化が進み、自分がどのようなルーツでこの世に生まれてきたかを知りたいと思っている若者も少なくない。そこで、自家の家紋を調べたりはする。しかし、家紋の表現は固苦しいイメージの外観であるので、手元には置かない遠い存在であった。現代着物もそうであったように、本物は本物として存続していけば良い。もっと普段使いが出来る雰囲気のものがないかと業界でも求められている。【０００４】従来家紋は一つの家族の紋だけを表現しているものが多く、又すべて出来あい商品として販売されているだけである。尚、一般に使用されているのは地色を白く抜いて表現した古来からある極めて単純な表現である。
【発明の開示】
【発明が解決しようとする課題】
【０００５】  日本には数多くの伝承すべき習慣やものがある。それを今の若い人にどう伝えて残していくかという課題に直面している。その中でも家紋は各家庭のルーツにも繋がるものである。従来より家紋を題材にした商品があるにはあったが、いずれも古めかしいイメージの物が多く、出来合いの物が多かった。又多くの人は結婚を機に家族制度を多少なりとも意識をするようになります。そういった若いカップルなどに向けた新しい感覚の世界に一つのオリジナル家紋商品を開発したい。
【課題を解決するための手段】
【０００６】  請求項１記載の発明は、２種類以上の家紋に色彩を施して図柄を形成したことを特徴とする家紋図である。【０００７】  この発明によれば、家紋は従来よりも華やかに明るく表現ができる。【０００８】  請求項２記載の発明は、奥行き感を持たせたことを特徴とする請求項１の家紋図である。【０００９】  この発明によれば、請求項１の家紋図より、奥行き感のある現代的なイメージの額が出来る。【００１０】  請求項３記載の発明は、家紋以外の部分に装飾物を貼付した事を特徴とした請求項１乃至２の家紋図である。【００１１】  この発明によれば、家紋の周りにスワロスキーやビーズ等の光るものや、造花やマスコットや、ハーブや貴石などの小物を貼り付けることで個人の趣味を大きく取り入れた家紋図が完成できる。【００１２】  請求項４記載の発明は、家紋図の背面に光源を設けた事を特徴とした請求項１乃至３の家紋図である。【００１３】  この発明によれば、夜間でもきれいに見える家紋図を表現できる。【００１４】  請求項５記載の発明は、家紋を立体状にしたことを特徴とした請求項１乃至４の家紋図である。【００１５】  この発明によれば、より迫力のある家紋図を表現できる。【００１６】  請求項６記載の発明は、版を作成しない方式で印刷したことを特徴とした請求項１乃至５の家紋図である。【００１７】  この発明によれば、版を作成しないので個別のお客様の家紋図を低コストでの作成が可能となる。
【発明の効果】
【００１８】  今まで家紋図は一般的に単色で平面的なイメージであったが、白や黒だけではなく他の色で表現したり、多色使いをしたり、色のグラデーションを使用して表現をしたり、又家紋の中に図柄を埋めるように塗りつぶして表現をし、地模様風に融合させ使用したことにより、現代的で華やかな奥行き感のある家紋図になる。
【発明を実施するための最良の形態】
【００１９】  以下各図面で具体例を挙げているが本考案はこれらに限定されるものではない。図１は本発明に係る家紋図の第一実施形態を示す図であり、図１は正面図、図２は図１のＡ−Ａ断面図である。第一実施形態の家紋図は透明なプラスチック板５の上に白いフィルムシート４を貼り、プロッターでカット加工をして両家の家紋や英文字以外の不要な白いフィルムシート部分を剥がしておく。また、透明なプラスチック板７の上には半透明なインクで寿の文字を印刷しておき、紙９の上にはインクジェットプリンターによるカラフルな印刷をしてスワロスキー１０を貼り付けた。額の枠１２内にガラス１，マット２，中桟３，白いフィルムシート４を貼った透明なプラスチック板５，中桟６，半透明なインクで寿の文字を印刷した透明なプラスチック板７，中桟８，インクジェットプリンターによる印刷をしてスワロスキー１０を貼り付けた紙９，ベニヤ１１の順に入れ込んでいる基本構成である。ここで言うスワロスキーとは、きれいなカット加工を施した宝石のようなガラス玉のことである。【００２０】  第一実施形態においては奥行き感を出す為に中桟を使用したが、紙のマットでも良い。何故なら立体感は少なくなるが、額全体の重量が軽く済むという利点もあるので構わない。本実施例では紙９の上にはインクジェットプリンターによる印刷を施したが、版を作成しない方法であればどんな方法でも構わない。又本実施例では透明なプラスチック板を使用したが、透明であればアクリル板でもＰＥＴ樹脂板でも使用に差し支えのない材質であればなんでも構わない。又、紙９の上にここではスワロスキーを貼り付けたが、ビーズ等の光るものや、造花やマスコットや、ハーブや貴石などの小物を貼り付けても良いのは勿論のことである。【００２１】  本実施例では紙９の上に印刷を施して、スワロスキー１０を貼り付けただけだが、印刷した紙の家紋部分の裏を加圧することで家紋を立体状にしてもよい。迫力のある面白い表現が出来る。【００２２】  又、本実施例では額の枠１２内にガラス１，マット２，中桟３，白いフィルムシート４を貼った透明なプラスチック板５，中桟６，半透明なインクで寿の文字を印刷した透明なプラスチック板７，中桟８，インクジェットプリンターによる印刷をしてスワロスキー１０を貼り付けた紙９，ベニヤ１１の順に入れ込んでいる基本構成であるが、紙９の後ろに光源体をいれてからベニヤ１１をセットすると夜間でもきれいに見える家紋額となる。又紙９に変えて光を通す白色の樹脂板を使用してもよい。【００２３】  図３は第二実施形態の断面図である。第二実施形態は紙２３の上にデザイン処理により奥行き感を現して、インクジェットプリンターによる印刷を施し、スワロスキー２４を貼り付けた。額の枠２６内にガラス２１，マット２２，インクジェットプリンターによる印刷をしてスワロスキー２４を貼り付けた紙２３，ベニヤ２５の順に入れ込んでいる基本構成である。【００２４】  本実施例では紙２３の上にはインクジェットプリンターによる印刷を施したが、版を作成しない印刷方法であればどんな方法でも構わない。この方法はデザイン処理により奥行き感を現して、また版を作成しないので個別のお客様の家紋図が第一実施形態よりもかなり低コストで作成が可能となる。【００２５】  本実施例では家紋図を額として用いたが、ネクタイ，スカーフ，リングピロー，衣類，文房具，カバン袋物，帽子，履物，アクセサリーなどへも展開が可能である。
【図面の簡単な説明】
【００２６】
【図１】本発明に係る家紋図の第一実施形態を示す正面図である。
【図２】本発明に係る家紋図の第一実施形態を示す図１のＡ−Ａ線断面図である。
【図３】本発明に係る家紋図の第二実施形態を示す断面図である。
【符号の説明】
【００２７】１，２１・・・・・・ガラス板
２，２２・・・・・・・・マット
３，６，８・・・・・・中桟
４・・・・・・・・・・・白フィルムシート
５，７・・・・・・・・透明なプラスチック板
９，２３・・・・・・・・・・・紙
１０，２４・・・・・・・・・スワロスキー
１１，２５・・・・・・・・・ベニヤ
１２，２６・・・・・・・・・額枠
【図１】
2008126040.tif 000003
【図２】
2008126040.tif 000004
【図３】
2008126040.tif 000005